(57)【要約】【課題】二つのデスク装置の端縁同士を突き合わせた配置である対面型レイアウトとした場合においても、オプション部材の取り付けが可能な対面型のデスク装置として体裁を良好に収めることを可能とする。【解決手段】複数の脚体２８と、複数の脚体２８に支持され一方向に長さを有する天板１０と、を有するデスク基本構成部２と、天板１０の長手方向に沿う一方の端縁に着脱可能に取り付けられた支持部材３と、支持部材３の上部に取り付けられ、上面に上方に向かって開口するオプション取付用溝６１ａが設けられたレール部材６０と、を有するデスク装置１を提供する。【選択図】図２
2015188502.tif 000002
【特許請求の範囲】
【請求項１】
複数の脚体と、前記複数の脚体に支持され一方向に長さを有する天板と、を有するデスク基本構成部と、
前記天板の長手方向に沿う一方の端縁に着脱可能に取り付けられた支持部材と、
前記支持部材の上部に取り付けられ、上面に上方に向かって開口するオプション取付用溝が設けられたレール部材と、を有することを特徴とするデスク装置。
【請求項２】
前記レール部材の上端部は、前記天板の上面と同じ高さに配置されていることを特徴とする請求項１に記載のデスク装置。
【請求項３】
前記レール部材の前記長手方向の寸法が、前記天板の長手方向の寸法と略同一とされていることを特徴とする請求項１又は請求項２に記載のデスク装置。
【請求項４】
前記支持部材は、前記複数の脚体のうち、前記端縁に沿って配置されている複数の脚体の間の空間を閉塞する幕板であることを特徴とする請求項１から請求項３のいずれか一項に記載のデスク装置。
【請求項５】
前記支持部材は、前記複数の脚体同士を連結するように設けられた構造体に取り付けられていることを特徴とする請求項１から請求項４のいずれか一項に記載のデスク装置。
【請求項６】
前記レール部材は、上方に突出するレール部材本体と、前記構造体の側に突出するレール部材補助部とを有し、前記支持部材は、前記レール部材補助部を介して前記構造体に取り付けられることを特徴とする請求項５に記載のデスク装置。
【発明の詳細な説明】
【技術分野】
【０００１】
本発明は、オフィスなどの執務空間にて使用されるデスク装置に関する。
【背景技術】
【０００２】
オフィス等における執務空間においては、床面上に幅方向（左右方向）に離間して立設された複数の脚体間に幅方向の寸法が長尺な天板を架設することによって、大型のデスク装置を構成したものが使用されることが一般的である。デスク装置をこのように構成することによって、組織変更等によって執務者等の使用者の数が増減した場合においても、天板の幅方向における一人当たりの使用面積を調整することによって、柔軟に対応することができる。
【０００３】
その一例として、天板の前後に執務者を対面して配置するとともに、幅方向に複数の執務者が並んで執務する対面型レイアウトを採用したデスク装置（対面型デスク装置）がある。
こうしたデスク装置では、天板の奥行方向における中間部に、幅方向に向かって連続し天板上面から下方に向かって凹んだ配線挿通部を形成したものが多く見うけられる。この場合、配線挿通部の上面は、配線挿通部に着脱可能なカバー体によって閉塞されてもよい。
こうした構造によれば、デスク装置上で使用される電子機器や照明装置等の配線を配線挿通部を使用して天板上に配設することが可能となり、配線挿通部内に配線を収容することで、天板上を体裁良く保つことができる。さらに、カバー体が配線挿通部に着脱可能であることで、配線を配線挿通部に配置したり配線挿通部から取出したりするときの作業性を良好に保つことができる。
【０００４】
また、デスク装置においては、天板の使い勝手を良好なものとするために、棚板ユニットやピンナップボード、筆記ボード等のオプション部材が天板に取付け可能とされているのが望ましい。
特許文献１及び特許文献２には、天板の奥行方向における中間部に、幅方向に延在するオプション取付け部材を設けた対面型デスク装置が記載されている。
【先行技術文献】
【特許文献】
【０００５】
【特許文献１】米国特許出願公開第２００７／０２５１４２８号明細書
【特許文献２】特開２００９−０９５３８６号公報
【発明の概要】
【発明が解決しようとする課題】
【０００６】
ところで、設置面積の関係で対面型デスク装置を配置できない執務空間の場合、対面型デスク装置の奥行方向の長さを半分とした、片面使用のデスク装置（片面デスク装置）を用いることとなる。片面デスク装置においては、奥行寸法の関係から、天板の幅方向に沿う不使用側の端縁にオプション取付け部材を設ける構成となる。
しかしながら、このような片面デスク装置を背中合わせに配置し、対面型レイアウトに配置する場合には、オプション支持部が重複することになるため、コスト的なロスが大きくなってしまう。また、片面デスク装置を背中合わせに配置し、対面型レイアウトに配置した場合には、対面型デスク装置に隣接して配置した際に幅方向に延在するオプション取付部材の整合性が取れなくなってしまうと共に、体裁も悪くなってしまうという課題があった。
【０００７】
この発明は、二つのデスク装置の端縁同士を突き合わせた配置である対面型レイアウトとした場合においても、オプション部材の取り付けが可能な対面型のデスク装置として体裁を良好に収めることが可能となるデスク装置を提供することを目的とする。
【課題を解決するための手段】
【０００８】
本発明の第一の態様によれば、デスク装置は、複数の脚体と、前記複数の脚体に支持され一方向に長さを有する天板と、を有するデスク基本構成部と、前記天板の長手方向に沿う一方の端縁に着脱可能に取り付けられた支持部材と、前記支持部材の上部に取り付けられ、上面に上方に向かって開口するオプション取付用溝が設けられたレール部材と、を有する。
【０００９】
このような構成によれば、二つのデスク装置の端縁同士を突き合わせた配置である対面型レイアウトとした場合においても、一方のデスク装置の支持部材を取り外すことによって、オプション部材の取り付けが可能な対面型のデスク装置として体裁を良好に収めることが可能となる。
【００１０】
上記デスク装置において、前記レール部材の上端部は、前記天板の上面と同じ高さに配置されている構成としてもよい。
このような構成によれば、天板の上面が平滑になるため、デスク装置としての使い勝手を良好にすることができる。また、より体裁を良好に収めることができる。
【００１１】
上記デスク装置において、前記レール部材の前記長手方向の寸法が、前記天板の長手方向の寸法と略同一とされている構成としてもよい。
【００１２】
このような構成によれば、体裁を良好に収めることができる。また、デスク装置を幅方向に隣接した配置とした際に、レール部を幅方向に連続して形成することが可能となり、オプション取り付けにおける自由度が高くなり、デスク装置としての使い勝手を良好なものとすることができる。
【００１３】
上記デスク装置において、前記支持部材は、前記複数の脚体のうち、前記端縁に沿って配置されている複数の脚体の間の空間を閉塞する幕板であってよい。
このような構成によれば、レール部材を支持するための部材を別途用意する必要がなくなるため、製造コスト及び工数を低減することができる。
【００１４】
上記デスク装置において、前記支持部材は、前記複数の脚体同士を連結するように設けられた構造体に取り付けられている構成としてもよい。
このような構成によれば、支持部材及びレール部材を強固かつ安定的に支持することができる。
【００１５】
上記デスク装置において、前記レール部材は、上方に突出するレール部材本体と、前記構造体の側に突出するレール部材補助部とを有し、前記支持部材は、前記レール部材補助部を介して前記構造体に取り付けられる構成としてもよい。
このような構成によれば、支持部材をより強固に固定することができる。
【発明の効果】
【００１６】
本発明によれば、二つのデスク装置の端縁同士を突き合わせた配置である対面型レイアウトとした場合においても、オプション部材の取り付けが可能な対面型のデスク装置として体裁を良好に収めることが可能となる。
【図面の簡単な説明】
【００１７】
【図１】本発明の一実施形態のデスク装置の斜視図である。
【図２】同デスク装置の分解斜視図である。
【図３】同デスク装置の化粧幕板の斜視図である。
【図４】同デスク装置の構造幕板の斜視図である。
【図５】同デスク装置の要部の側面の断面図である。
【図６】図５中の要部拡大図である。
【図７】同デスク装置のレール部材に取付けられる仕切り板に取付け補助具が取付けられた状態の要部の平面図である。
【図８】同取付け補助具を平面状に展開したときの平面図である。
【図９】図８中の切断線Ａ１−Ａ１の断面図である。
【図１０】同デスク装置においてレール部材に仕切り板を取付ける手順を示す断面図である。
【図１１】同デスク装置においてレール部材に仕切り板を取付ける手順を示す断面図である。
【図１２】同デスク装置を対面型レイアウトとなるように配置した様子を示す斜視図である。
【図１３】本発明の他の実施形態のデスク装置の斜視図である。
【発明を実施するための形態】
【００１８】
以下、本発明に係るデスク装置の一実施形態を、図面を参照しながら説明する。
図１、及び図２に示すように、本実施形態のデスク装置１は、複数の脚体２８を有する脚部２０と、脚部２０に支持され一方向に長さを有する天板１０と、を有するデスク基本構成部２と、デスク基本構成部２に着脱可能に取り付けられている化粧幕板３と、を有している。
化粧幕板３は、天板１０を使用する側の端縁である使用縁部１０ｂの反対側の端縁に配置された一対の脚体２８同士の間を覆うように配置される板状の部材である。化粧幕板３は、奥行方向Ｙの使用縁部１０ｂとは反対側から、天板１０の下方の空間を目視不可とする板である。
【００１９】
天板１０には、天板１０の上面である作業面１０ａから天板１０の内部側へと広がるように形成された配線挿通部５０が設けられている。配線挿通部５０の開口５０ａには、配線カバー９０が着脱可能に取り付けられている。
化粧幕板３の上部には、オプションを取り付けるためのレール部材６０が取り付けられている。本実施形態では、レール部材には仕切り板３００、および棚板ユニット３５０が取り付けられている。
【００２０】
この例では、天板１０は平面視で矩形状に形成されている。天板１０の長辺は、ワーカー等である使用者が、天板１０を使用する側の縁部である使用縁部１０ｂとなっている。すなわち、複数の使用者は、不図示の椅子などに着座した状態で天板１０の使用縁部１０ｂに沿って並び、作業面１０ａ上で作業を行うことになる。
以下では、使用縁部１０ｂに平行な方向を幅方向Ｘ、天板１０の短辺１０ｄに平行な方向を奥行方向Ｙと称する。これら幅方向Ｘおよび奥行方向Ｙは、作業面１０ａに平行であるとともに、互いに直交する方向である。
【００２１】
脚部２０は、幅方向Ｘの両端部に配置される一対の脚体ユニット２１を有している。
脚体ユニット２１は、床面Ｆ上に設置されて、幅方向Ｘおよび奥行方向Ｙにそれぞれ直交する上下方向Ｚに延出する２本の脚体２８と、奥行方向Ｙに沿って延出して脚体２８の上部同士を連結する横梁部２９とを備えている。各々の脚体２８は、金属製の角パイプによって主要部を構成され、その角パイプの上下の端部にエンドプレートが溶接固定されている。
横梁部２９は、プレス成形された２枚の金属プレートが組み合わされ、その主要部が筒状に形成されている。横梁部２９の長手方向の両端部は、脚体２８の各上部側面に溶接固定されている。こうして、２本の脚体２８の上部に横梁部２９が連結された脚体ユニット２１は、幅方向Ｘから見た側面視が門型状（開口側が下方を向くコ字形状）となっている。
【００２２】
図２に示すように、一対の脚体ユニット２１同士は、構造幕板４によって連結されている。具体的には、使用縁部１０ｂとは反対側の一対の脚体２８同士が、構造幕板４によって連結されている。また、一対の脚体ユニット２１同士は、適宜、幅方向Ｘ方向に延在する補強材によって補強される構成としてよい。
本実施形態の化粧幕板３は、デスク基本構成部２の構造幕板４に着脱可能に取り付けられている。
【００２３】
図３に示すように、化粧幕板３は、幅方向Ｘに長さを有する矩形板形状の化粧幕板本体５と、化粧幕板本体５を補強するように、幅方向Ｘに延在する三本の化粧幕板用角管６とを有している。化粧幕板用角管６は、例えば溶接などの手段によって化粧幕板本体５に接合されている。
化粧幕板本体５の幅方向Ｘの寸法は、デスク装置１の幅方向Ｘの寸法と略同一である。化粧幕板本体５の上下方向Ｚの寸法は、デスク装置１の高さの約２／３とされている。化粧幕板用角管６は、化粧幕板本体５の上縁、下縁、及び上縁と下縁の中間近傍に配置されている。
レール部材６０は、三本の化粧幕板用角管６のうち、上側の化粧幕板用角管６ａに、例えば、皿ネジや低頭ネジなどの締結部材１８によって取り付けられている（図５参照）。
【００２４】
三本の化粧幕板用角管６のうち、上側の化粧幕板用角管６ａには、複数の第一係合部材７が取り付けられている。第一係合部材７は、化粧幕板用角管６の一対の側面のうち、化粧幕板本体５が接合されていない方の側面に設けられている。第一係合部材７は、その主面が幅方向Ｘに直交するように配置された板状の部材であり、下方に突出する第一係合突起７ａを有している。
また、第一係合部材は７は、ネジ孔部７ｂを有している。ネジ孔部７ｂは、雌ネジ孔であり、その中心軸が奥行方向Ｙに沿うように形成されている。
【００２５】
三本の化粧幕板用角管６のうち、中間の化粧幕板用角管６ｂには、複数の第一係合スリット８が形成されている。第一係合スリット８は、化粧幕板用角管６の下面に形成されている。第一係合スリット８は、奥行方向Ｙに延在するように形成されている。
【００２６】
図４に示すように、構造幕板４は、幅方向Ｘに沿うように延在する一対の脚体連結杆１１と、一対の脚体連結杆１１同士を連結する矩形板１２によって形成されている。一対の脚体連結杆１１は、角筒（角管）状をなし、幅方向Ｘに離間する一対の脚体２８の間で、上下方向Ｚに離間して配置される。
構造幕板４は、矩形板１２の主面が奥行方向Ｙに直交するとともに、一対の脚体連結杆１１が、矩形板１２の上縁と下縁とに沿って延在するように、取り付けられる。この際、矩形板１２は、脚体連結杆１１よりもデスク装置１の内側に配置される。
脚体連結杆１１及び矩形板１２は、例えばステンレス鋼のような金属によって形成されている。また、脚体連結杆１１と矩形板１２とは、例えば溶接によって接合されている。構造幕板４は、例えば溶接によって取り付けられた取付金具（図示せず）を介して、脚体２８にボルトなどの締結部材を用いて着脱可能に取り付けられている。
【００２７】
一対の脚体連結杆１１のうち、上側の脚体連結杆１１ａには、複数の第二係合スリット１４が形成されている。第二係合スリット１４は、脚体連結杆１１の上面に形成されている。第二係合スリット１４は、奥行方向Ｙに延在するように形成されている。
また、脚体連結杆１１及び矩形板１２には、奥行方向Ｙに貫通する貫通孔１４ａが形成されている。貫通孔１４ａは、第二係合スリット１４の近傍に形成されている。
【００２８】
下側の脚体連結杆１１ｂには、複数の第二係合部材１３が取り付けられている。第二係合部材１３は、脚体連結杆１１の一対の側面のうち、矩形板が接合されていない方の側面に設けられている。第二係合部材１３は、その主面が幅方向Ｘに直交するように配置された板状の部材であり、上方に突出する第二係合突起１３ａを有している。
【００２９】
化粧幕板用角管６の第一係合突起７ａの幅方向Ｘの位置は、構造幕板４の第二係合スリット１４の幅方向Ｘの位置と一致するように設定されている。
また、構造幕板４の第二係合突起１３ａの幅方向Ｘの位置は、化粧幕板用角管６の第一係合スリット８の幅方向Ｘの位置と一致するように設定されている。さらに、化粧幕板用角管６の第一係合スリット８の上下方向Ｚの位置は、構造幕板４の第二係合突起１３ａに対応する位置とされている。
また、化粧幕板用角管６のネジ孔部７ｂと、脚体連結杆１１の貫通孔１４ａとは、化粧幕板３をデスク基本構成部２に取り付けた際に、位置が一致するように設定されている。
【００３０】
化粧幕板３をデスク基本構成部２に取り付ける際には、化粧幕板３の第一係合突起７ａを構造幕板４の第二係合スリット１４に差し込むとともに、構造幕板４の第二係合突起１３ａを化粧幕板３の第一係合スリット８に差し込む。
さらに、図５に示すように、ボルト２７を貫通孔１４ａに挿通し、ボルト２７を用いて構造幕板４を化粧幕板３に固定する。
【００３１】
図５に示すように、天板１０の下方であって、一対の横梁部２９同士の間には、センターユニット１６が配置されている。センターユニット１６は、一対の横梁部２９同士を連結したり、天板１０を下方から支持したり、後述するカバー支持部材５４を下方から支持したりするユニットである。
センターユニット１６は、幅方向Ｘ方向に延在する角管である内側連結杆２３と、幅方向Ｘに延在するＬ字部材１７と、幅方向Ｘ方向の両端に設けられて内側連結杆２３とＬ字部材１７とを連結する連結部材５１と、を有している。内側連結杆２３、Ｌ字部材１７、及び連結部材５１は、例えば、ステンレス鋼のような金属によって形成されている。
【００３２】
内側連結杆２３とＬ字部材１７とは奥行方向Ｙに所定距離離間して配置されている。連結部材５１は、例えば、金属製の板材を中空の板状に折り曲げて構成することができる。
内側連結杆２３は、脚部２０の奥行方向Ｙの中央部寄りに幅方向Ｘに延在するように配置され、天板１０を下方から支持するようになっている。
【００３３】
Ｌ字部材１７は、奥行方向Ｙにおいて構造幕板４が取り付けられる脚体２８と同じ位置に、幅方向Ｘに延在するように配置された断面Ｌ字形状の長尺部材である。Ｌ字部材１７は、奥行方向Ｙと直交する垂直面１７ａと、上下方向Ｚと直交する水平面１７ｂとを有している。Ｌ字部材１７は、垂直面１７ａが構造幕板４の矩形板１２と略同一平面となり、水平面１７ｂが奥行方向Ｙにおいて、構造幕板４と略同じ位置となるように配置される。
【００３４】
センターユニット１６の下方には、配線を保持するための配線ダクト２５が配置されている。配線ダクト２５は、幅方向Ｘに延在する断面Ｌ字形状の板状部材であり、内側連結杆２３と構造幕板４とに、例えばボルトのような締結部材を用いて固定されている。これにより、センターユニット１６の下方には配線空間Ｗが形成される。配線ダクト２５の下面には、複数のダクト孔２５ａが形成されている。
【００３５】
レール部材６０は、図６に示すように、上方を向く主開口部６１ａを有し、上方に突出するレール部材本体６１と、レール部材本体６１の奥行方向Ｙの一側に設けられ、上方を向く補助開口部６２ａを有するレール部材補助部６２とを有している。図５に示すように、レール部材補助部６２は、レール部材本体６１から構造幕板４の側に突出するように形成されている。
レール部材本体６１は、板状の底部６５と、互いに離間した状態で底部６５から上方に延出する壁部６６Ａ、６６Ｂとを備えている。
本実施形態では、壁部６６Ａ、６６Ｂの構成は、壁部６６Ａ、６６Ｂの間に規定される基準平面Ｐに対して対称（面対称）であるため、壁部６６Ａの構成については数字に英字「Ａ」を付加し、壁部６６Ｂの構成については同一の数字に英字「Ｂ」を付加することで示す。これにより、重複する説明を省略する。
なお、底部６５、および壁部６６Ａ、６６Ｂで、壁部６６Ａの上端面（取付け面）６７Ａから、上下方向Ｚの一方である下方（内部方向）Ｚ１に凹むように形成された没入部６３が構成される。言い換えれば、没入部６３は、上端面６７Ａからレール部材本体６１の内部側に向かって凹むように形成されている。
【００３６】
壁部６６Ａにおける壁部６６Ｂ側の側面（内側面）６８Ａと底部６５との接続部分には、下方Ｚ１に向かうにしたがって側面６８Ａから離間するように傾斜した傾斜面（符号省略）を有する接続部６９Ａが設けられている。上下方向Ｚにおいて、壁部６６Ａ、６６Ｂの上端部の位置は天板１０の作業面１０ａの位置と等しく設定されている（図５参照）。
側面６８Ａの接続部６９Ａよりも上方Ｚ２の部分には、上方Ｚ２に向かうにしたがって、突部７２Ａ、案内部７３Ａ、および縮幅部７４Ａがこの順で形成されている。
【００３７】
突部７２Ａは、没入部６３の内部空間側、すなわち壁部６６Ｂ側に突出するように、幅方向Ｘに直交する断面形状が三角形状になるように形成されている。
案内部７３Ａは、側面６８Ａから奥行方向Ｙに沿って壁部６６Ｂ側に延びる本体７５Ａと、本体７５Ａの先端から下方Ｚ１に延びる舌片７６Ａとで構成されている。舌片７６Ａにおける壁部６６Ｂ側の面は、下方Ｚ１に平行となるように形成された案内面７７Ａとなっている。
縮幅部７４Ａは、側面６８Ａから奥行方向Ｙに沿って壁部６６Ｂ側に延びる板状に形成されている。縮幅部７４Ａの上面は、上端面６７Ａと面一になるように形成されている。縮幅部７４Ａの先端面の上部には、上方Ｚ２に向かうにしたがって側面６８Ａに接近するように傾斜した傾斜面７８Ａが形成されている。
これら突部７２Ａ、案内部７３Ａ、および縮幅部７４Ａが側面６８Ａから壁部６６Ｂ側に突出する長さは、ほぼ等しく設定されている。
【００３８】
レール部材補助部６２は、底部６５から奥行方向Ｙに沿って延びる底部８１と、底部８１に対して上方Ｚ２に離間して底部８１と平行に延びる受け部８２と、底部８１の先端と受け部８２の先端とを接続する接続部８３とを有している。受け部８２には、幅方向Ｘに延びる挿通開口部８４が形成されている。この挿通開口部８４は、前述の補助開口部６２ａとなっている。
受け部８２の下面における挿通開口部８４が形成された部分よりもレール部材本体６１側には、下方Ｚ１に突出したガイド凸部８５が設けられている。受け部８２の上面の位置は、レール部材本体６１の上端部の位置よりも下方に設定されている。
このように構成されたレール部材６０のレール部材本体６１、およびレール部材補助部６２は、アルミニウムを押出し成形することなどで一体に形成されている。
【００３９】
化粧幕板３をデスク基本構成部２に取り付ける際は、化粧幕板用角管６の第一係合突起７ａと構造幕板４の第二係合スリット１４を係合させるとともに、構造幕板４の第二係合突起１３と化粧幕板用角管６の第一係合スリット８とを係合させる。
さらに、皿ネジや低頭ネジなどの締結部材１９を用いてセンターユニット１６のＬ字部材１７にレール部材６０のレール部材補助部６２を締結する。
【００４０】
ここで、図６から図８に示すように、レール部材６０に着脱可能に取付けられる仕切り板３００、および棚板ユニット３５０について説明する。なお、図５においては、後述する取付け補助具３１０が仕切り板３００に係合している状態を明確に示すために、取付け補助具３１０を仮想線で示している。
仕切り板３００は、平板状に形成された部材である。仕切り板３００には、仕切り板３００の主面３０１（図６参照。）に沿った沿面方向Ｕに延びるように一対の貫通孔３０２が形成されている。一対の貫通孔３０２は、主面３０１に平行であって沿面方向Ｕに直交する沿面直交方向Ｖに並べて形成されている。仕切り板３００は、アクリル等の樹脂や、ガラス等で形成することができる。なお、使用者等の仕切り板３００を通した目線を遮りたい場合には、仕切り板３００の外面に微細な凹凸などを設けたり、表面をクロス貼りに構成したりしてもよい。
【００４１】
仕切り板３００は、取付け補助具３１０が取付けられた状態で、レール部材６０のレール部材本体６１に着脱可能となる。
ここで、取付け補助具３１０の構成について説明する。
取付け補助具３１０は、図６に示す沿面直交方向Ｖに見た側面視が、仕切り板３００側が開口するコ字形状に形成されている。すなわち、取付け補助具３１０は、仕切り板３００の縁部を３方から囲うように取付けられている。取付け補助具３１０は、樹脂等の弾性を有する材料で形成されている。
図８および図９は、取付け補助具３１０を平面状に展開した状態を示すものである。
取付け補助具３１０は、平板状に形成された第一の基板３１１および第二の基板３１２と、基板３１１、３１２の縁部同士を接続する連結片３１３とを備えている。取付け補助具３１０における、連結片３１３と第一の基板３１１との接続部３１４、および、連結片３１３と第二の基板３１２との接続部３１５の厚さは、近接する部分より薄く設定されている。このため、第一の基板３１１は、連結片３１３に対して接続部３１４周りに回動することができる。同様に、第二の基板３１２は、連結片３１３に対して接続部３１５周りに回動することができる。
【００４２】
第一の基板３１１における接続部３１４の近傍には、沿面直交方向Ｖの中央部に透孔３１８が形成されている。透孔３１８内には、爪部３１９が形成され、この爪部３１９は透孔３１８の縁部における接続部３１４とは反対側の部分に設けられた接続部３２０により第一の基板３１１に接続されている。接続部３２０の厚さは、近接する部分より薄く設定されていて、爪部３１９は接続部３２０周りに回動することができる。この爪部３１９は、爪部３１９に重力以外の外力が作用していない自然状態において、第一の基板３１１における、仕切り板３００に取付けられる側の一方の面３１１ａとは反対側となる他方の面３１１ｂから外部に突出しないように設定されている。
透孔３１８の縁部における接続部３１４側の部分には、一方の面３１１ａから突出する当接部３２１が設けられている。当接部３２１は、第一の基板３１１における沿面直交方向Ｖの全体にわたり形成されている。
【００４３】
第一の基板３１１の一方の面３１１ａには、沿面直交方向Ｖにおいて透孔３１８を挟むように円柱状の係合部３２２が一対形成されている。一対の係合部３２２の沿面直交方向Ｖのピッチは、前述の仕切り板３００に形成された一対の貫通孔３０２の沿面直交方向Ｖのピッチと等しく設定されている。一方の面３１１ａにおいて、各々の係合部３２２に対する接続部３１４とは反対側の部分には、一方の面３１１ａから突出した内側凸部（凸部）３２３が形成されている。一対の内側凸部３２３は、第一の基板３１１の接続部３１４とは反対側の縁部に形成されている。
第一の基板３１１の他方の面３１１ｂにおける接続部３１４とは反対側の縁部には、接続部３１４から離間するにしたがって他方の面３１１ｂから離間するように傾斜した傾斜面（符号省略）を有する外側凸部３２４が設けられている。外側凸部３２４は、第一の基板３１１における沿面直交方向Ｖの全体にわたり形成されている。
【００４４】
第二の基板３１２における接続部３１５の近傍には、沿面直交方向Ｖの中央部に透孔３２８が形成されている。透孔３２８内には、爪部３２９が形成され、この爪部３２９は透孔３２８の縁部における接続部３１５とは反対側の部分に設けられた接続部３３０により第二の基板３１２に接続されている。接続部３３０の厚さは、近接する部分より薄く設定されていて、爪部３２９は接続部３３０周りに回動することができる。この爪部３２９は、自然状態において第二の基板３１２における、仕切り板３００に取付けられる側の一方の面３１２ａとは反対側となる他方の面３１２ｂから外部に突出しないように設定されている。
透孔３２８の縁部における接続部３１５側の部分には、一方の面３１２ａから突出する当接部３３１が設けられている。当接部３３１は、第二の基板３１２における沿面直交方向Ｖの全体にわたり形成されている。
【００４５】
第二の基板３１２の一方の面３１２ａには、沿面直交方向Ｖにおいて透孔３２８を挟むように筒状の被係合部３３２が一対形成されている。各被係合部３３２の筒孔３３２ａには、前述の係合部３２２が係合することができる。この被係合部３３２と係合部３２２とで、軸部材３３７を構成する（図６参照）。
一方の面３１２ａにおいて、各被係合部３３２に対する接続部３１５とは反対側の部分には、一方の面３１２ａから突出した内側凸部３３３が形成されている。一対の内側凸部３３３は、第二の基板３１２の接続部３１５とは反対側の縁部に形成されている。
【００４６】
第二の基板３１２の他方の面３１２ｂにおける接続部３１５とは反対側の縁部には、接続部３１５から離間するにしたがって他方の面３１２ｂから離間するように傾斜した傾斜面（符号省略）を有する外側凸部３３４が設けられている。外側凸部３３４は、第二の基板３１２における沿面直交方向Ｖの全体にわたり形成されている。
取付け補助具３１０、没入部６３、貫通孔３０２、内側凸部３２３、３３３、案内面７７Ａ、７７Ｂで、本発明の取付け構造３０６を構成する。
【００４７】
このように平面状に展開した取付け補助具３１０をコ字形状に形成すると、係合部３２２と被係合部３３２とが係合して軸部材３３７となり、当接部３２１、３３１、爪部３１９、３２９、内側凸部３２３、３３３は、それぞれが対向するように配置される。取付け補助具３１０は、平面状に展開した形状を樹脂を用いた射出成形等で形成し、その後でコ字形状に折り曲げることで、容易に製造することができる。
コ字形状に形成した取付け補助具３１０を仕切り板３００に取付けたときに、仕切り板３００に取付け補助具３１０が以下のように係合する。
すなわち、仕切り板３００の各々の貫通孔３０２に軸部材３３７がそれぞれ挿通される。貫通孔３０２は沿面方向Ｕに延びるように形成されているため、貫通孔３０２内で軸部材３３７が沿面方向Ｕに移動することで、仕切り板３００に対して取付け補助具３１０は沿面方向Ｕに所定の範囲（貫通孔３０２の沿面方向Ｕの長さよりも短い範囲）で移動することができる。
図７に示すように、仕切り板３００のうち取付け補助具３１０の爪部３１９、３２９に挟まれる部分には、貫通孔３０２が形成されないようになっている。
図１０に示すように、仕切り板３００に対して取付け補助具３１０を沿面方向Ｕの一方側Ｕ１に配置すると、仕切り板３００と爪部３１９、３２９とが離間する。このとき、内側凸部３２３、３３３は貫通孔３０２内に配置される。
【００４８】
棚板ユニット３５０は、図５および図６に示すように、レール部材補助部６２の補助開口部６２ａに当接可能な平板状の基部３５１と、基部３５１から上方Ｚ２に向かって延出された平板状の上向き部３５２と、上向き部３５２の上部に設けられた棚板３５３とを有している。
基部３５１には、上下方向Ｚに透孔３５１ａが形成されている。この例では、基部３５１および上向き部３５２は、ステンレス鋼や樹脂などで形成された板状部材により一体に形成されている。棚板３５３には、下方Ｚ１に向かって凹んだ収容部３５３ａが形成されている。棚板３５３は、基部３５１と同一の材料で形成されている。
棚板ユニット３５０には、一体に形成された基部３５１および上向き部３５２が２組備えられている。棚板３５３は、それぞれの上向き部３５２に不図示の接着剤等により固定されている。
【００４９】
棚板ユニット３５０は、図６に示すように、取付け板３６１および固定ビス３６２により、レール部材補助部６２の補助開口部６２ａに取付けられる。
より具体的には、取付け板３６１に形成された透孔の内周面には、雌ネジ部３６１ａが形成されている。取付け板３６１は、レール部材補助部６２内に透孔が受け部８２の挿通開口部８４に連通するように配置される。レール部材補助部６２にはガイド凸部８５が設けられているため、取付け板３６１の奥行方向Ｙの位置が規制される。
レール部材補助部６２の受け部８２に棚板ユニット３５０の基部３５１を当接させ、基部３５１側から基部３５１の透孔３５１ａ、受け部８２の挿通開口部８４に固定ビス３６２の雄ネジ部３６２ａを挿通させる。取付け板３６１の雌ネジ部３６１ａに固定ビス３６２の雄ネジ部３６２ａを螺合させ、受け部８２および棚板ユニット３５０の基部３５１を、取付け板３６１および固定ビス３６２で上下方向Ｚに挟むことで、レール部材補助部６２に棚板ユニット３５０が取付けられる。
【００５０】
なお、レール部材補助部６２の挿通開口部８４は幅方向Ｘに延びるように形成されているため、レール部材補助部６２に対して棚板ユニット３５０を幅方向Ｘの任意の位置に取付けることができる。
この例では、レール部材６０の主開口部６１ａに仕切り板３００を取付けたときの仕切り板３００の上端の高さは、補助開口部６２ａに棚板ユニット３５０を取付けたときの棚板ユニット３５０の上端の高さよりも高く設定されている。
【００５１】
図５に示すように、幅方向Ｘに離間して設けられた連結部材５１の上面には、カバー支持部材５４がそれぞれ固定されている。
カバー支持部材５４は、連結部材５１に固定されたベース５５と、ベース５５から奥行方向Ｙに互いに離間するように上方Ｚ２に延びる腕部５６、５７とを有している。腕部５６の上端部には、幅方向Ｘに延びるボス５６ａが設けられている。カバー支持部材５４は、腕部５６がレール部材６０側となるように連結部材５１に固定されている。
【００５２】
配線カバー９０では、平板状に形成されたカバー本体９１のレール部材６０側の縁部の下面にフック部９２が設けられている。
カバー本体９１におけるフック部９２とは反対側の縁部には、ゴムなどの柔軟な材料で形成されたヒレ９３が取付けられている。
配線カバー９０は、カバー支持部材５４のボス５６ａにフック部９２を係合させるとともに腕部５７上にカバー本体９１を載置したときに、カバー本体９１が奥行方向Ｙにほぼ平行に配置され、配線カバー９０が配線挿通部５０の開口５０ａの一部を塞いだ塞ぎ状態となる。このとき、配線カバー９０は、幅方向Ｘに延びるように開口５０ａに配置され、レール部材６０のレール部材本体６１と配線カバー９０との間に、隙間Ｓ２が形成される。なお、ヒレ９３は天板１０の側面に近接もしくは当接して配置されている。
【００５３】
一方で、カバー支持部材５４のボス５６ａとフック部９２との係合を解除させることで、カバー支持部材５４から配線カバー９０を取外すと、配線カバー９０は開放状態となる。開放状態では、塞ぎ状態に比べて配線カバー９０が開口５０ａを塞ぐ範囲が小さくなる。このように、配線カバー９０は、塞ぎ状態と開放状態との間で配置を切替え可能となっている。
なお、この例では、ボス５６ａとフック部９２との係合を維持しつつ、ヒレ９３が上方Ｚ２に移動するように配線カバー９０をボス５６ａ周りに回動させると、配線カバー９０は位置Ｑに移動する。このように、カバー支持部材５４に配線カバー９０を係合させた状態で、配線カバー９０を回動させて開けることができようになっている。
【００５４】
レール部材６０に棚板ユニット３５０を取付けるとともに配線カバー９０を塞ぎ状態にしたときに、棚板ユニット３５０の上向き部３５２が開口５０ａのうち配線カバー９０に塞がれていない部分、すなわち隙間Ｓ２を通り、上向き部３５２の上部および棚板３５３が天板１０の作業面１０ａの上方に配置される。このとき、上向き部３５２の厚さ方向と奥行方向Ｙとが一致するように上向き部３５２が隙間Ｓ２を通る。上向き部３５２の奥行方向Ｙの長さは、隙間Ｓ２の奥行方向Ｙの長さに等しく設定されていてもよいし、隙間Ｓ２の奥行方向Ｙの長さよりもやや短寸となるように設定されていてもよい。
上向き部３５２の長手方向に直交する平面による断面において、上向き部３５２は厚さ方向の長さの方が幅方向（厚さ方向に直交する方向。）の長さよりも短く設定されている。これにより、上向き部３５２の曲げ強度（特に、奥行方向Ｙの周りの曲げ強度。）を維持しつつ、配線カバー９０により配線挿通部５０の開口５０ａを奥行方向Ｙに広く覆って隙間Ｓ２を小さくすることができる。
詳細に図示はしないが、前述の床面Ｆや壁面に設けられたコンセントに接続された配線は、配線ダクト２５のダクト孔２５ａを通して配線挿通部５０内に配置される。そして、天板１０の作業面１０ａ上に配置された不図示の電子機器等の幅方向Ｘの位置に応じてヒレ９３を変形させることで、配線カバー９０のカバー本体９１と天板１０との間から上方Ｚ２に引き出され、前述の電子機器等に接続される。
【００５５】
次に、以上のように構成されたデスク装置１において、レール部材６０に仕切り板３００や棚板ユニット３５０を着脱する手順について説明する。以下では、使用者が天板１０の使用縁部１０ｂ側から、レール部材６０の主開口部６１ａ、補助開口部６２ａに仕切り板３００、棚板ユニット３５０をそれぞれ着脱する場合で説明する。
まず、レール部材６０のレール部材本体６１に仕切り板３００を取付けるときには、使用者は仕切り板３００を把持し、図１０に示すように仕切り板３００に対して取付け補助具３１０を沿面方向Ｕの一方側Ｕ１に配置した状態で、仕切り板３００の沿面方向Ｕと下方Ｚ１とが平行になるようにする。内側凸部３２３、３３３は貫通孔３０２内に配されるため、基板３１１、３１２が仕切り板３００から離間するように移動しにくくなる。
仕切り板３００の沿面方向Ｕの一方側Ｕ１を没入部６３側に向け、没入部６３に対して仕切り板３００を沿面方向Ｕの一方側Ｕ１、すなわち下方Ｚ１に移動させる。これにより、没入部６３に仕切り板３００を挿入していく。
【００５６】
図１１に示すように、レール部材本体６１には下方Ｚ１に平行な案内面７７Ａ、７７Ｂが形成されているため、仕切り板３００に取付けられた取付け補助具３１０は上下方向Ｚに沿って移動するように案内される。没入部６３を構成するレール部材本体６１の底部６５の上面に取付け補助具３１０の連結片３１３が当接し、没入部６３に対する取付け補助具３１０の下方Ｚ１への移動が規制される。すなわち、取付け補助具３１０がこれ以上下方Ｚ１に挿入できなくなる。
また、接続部６９Ａ、６９Ｂにはそれぞれ傾斜面が形成されているため、レール部材本体６１に対して取付け補助具３１０が奥行方向Ｙにガタつくことが抑制される。
【００５７】
仕切り板３００をさらに下方Ｚ１に挿入していくと、図６に示すように、貫通孔３０２内で軸部材３３７が下方Ｚ１に移動する。これにより、取付け補助具３１０に対して仕切り板３００が下方Ｚ１に移動し、仕切り板３００に対して取付け補助具３１０が沿面方向Ｕの他方側Ｕ２に配置される。
仕切り板３００のうち爪部３１９、３２９に挟まれる部分には貫通孔３０２は形成されていないため、仕切り板３００が爪部３１９、３２９に接触して爪部３１９、３２９が弾性的に変形することで、突部７２Ｂに爪部３１９が、突部７２Ａに爪部３２９がそれぞれ上方Ｚ２に係止する。すなわち、弾性的に変形した爪部３１９、３２９によりレール部材本体６１に対して取付け補助具３１０が上方Ｚ２に移動できなくなる。
【００５８】
爪部３１９、３２９の反力により、仕切り板３００は基準平面Ｐ側に付勢される。このため、仕切り板３００と爪部３１９、３２９との間に作用する摩擦力により、取付け補助具３１０に対して仕切り板３００は上下方向Ｚに移動しにくくなる。これにより、突部７２Ｂ、７２Ａに爪部３１９、３２９が係止している状態が維持される。
当接部３２１、３３１内に仕切り板３００が圧入、すなわち、強い圧力で押し込まれることで、取付け補助具３１０に対して仕切り板３００が奥行方向Ｙおよび上下方向Ｚにガタつくことが抑制される。
縮幅部７４Ｂの傾斜面７８Ｂに外側凸部３２４の傾斜面が接触し、壁部６６Ｂに対して第一の基板３１１の上端部が面接触により支持される。壁部６６Ｂの上端面６７Ｂと第一の基板３１１の上端面とが面一になる。同様に、縮幅部７４Ａの傾斜面７８Ａに外側凸部３３４の傾斜面が接触し、壁部６６Ａに対して第二の基板３１２の上端部が面接触により支持される。壁部６６Ａの上端面６７Ａと第二の基板３１２の上端面とが面一になる。
【００５９】
貫通孔３０２内に配置されていた取付け補助具３１０の内側凸部３２３、３３３が貫通孔３０２よりも上方Ｚ２に移動して、仕切り板３００の主面３０３上に内側凸部３２３が、主面３０１上に内側凸部３３３がそれぞれ配される。
内側凸部３２３は、第一の基板３１１とともに壁部６６Ｂの縮幅部７４Ｂと仕切り板３００との間に圧入される。一方で、内側凸部３３３は、第二の基板３１２とともに壁部６６Ａの縮幅部７４Ａと仕切り板３００との間に圧入される。これにより、レール部材本体６１に対して取付け補助具３１０および仕切り板３００が奥行方向Ｙにガタつくことが抑制されるとともに、レール部材６０の上端面６７Ａ、６７Ｂが面一になって体裁が良くなる。
以上の手順により、レール部材本体６１に仕切り板３００が取付けられる。
【００６０】
なお、レール部材６０の主開口部６１ａは配線カバー９０では塞がれないため、レール部材本体６１に対する仕切り板３００の着脱は、配線カバー９０の開放状態／塞ぎ状態によらず、使用者が行うことができる。
【００６１】
一方で、レール部材本体６１から仕切り板３００を取外すときには、使用者は爪部３１９、３２９の反力に抗して仕切り板３００を上方Ｚ２に引き抜く。すると、突部７２Ｂ、７２Ａに爪部３１９、３２９が係止していることでレール部材本体６１に対して取付け補助具３１０が上方Ｚ２に移動できないため、図１１に示すように仕切り板３００のみが上方Ｚ２に移動し、仕切り板３００に対して取付け補助具３１０が沿面方向Ｕの一方側Ｕ１に配置される。すると、仕切り板３００と爪部３１９、３２９とが離間する。爪部３１９、３２９は自身の弾性力により突部７２Ｂ、７２Ａから離間して、他方の面３１１ｂ、３１２ｂから外部に突出しない位置に戻る。これにより、爪部３１９、３２９と突部７２Ｂ、７２Ａとの係止が解除される。内側凸部３２３、３３３は貫通孔３０２内に配置される。
軸部材３３７が貫通孔３０２の下方Ｚ１の縁部に係止され、図１０に示すように仕切り板３００とともに取付け補助具３１０が上方Ｚ２に移動し、レール部材本体６１から仕切り板３００が取外される。
【００６２】
このように、レール部材本体６１の主開口部６１ａに、取付け補助具３１０が取付けられた仕切り板３００が着脱可能となっている。
レール部材本体６１は幅方向Ｘに延びるように形成されているため、レール部材本体６１に対して仕切り板３００を幅方向Ｘの任意の位置に取付けることができる。
【００６３】
レール部材６０のレール部材補助部６２に棚板ユニット３５０を取付けるときには、配線カバー９０を取外して開放状態にして、図６を用いて説明したように取付け板３６１および固定ビス３６２で受け部８２および棚板ユニット３５０の基部３５１を上下方向Ｚに挟む。棚板ユニット３５０を取付け終えたら、配線カバー９０を塞ぎ状態にしておく。
一方で、レール部材補助部６２から棚板ユニット３５０を取外すときには、まず、配線カバー９０を開放状態にしておく。固定ビス３６２を回して取付け板３６１の雌ネジ部３６１ａと固定ビス３６２の雄ネジ部３６２ａとの螺合を解除し、取付け板３６１から固定ビス３６２を取外すことで、レール部材補助部６２から棚板ユニット３５０を取外す。棚板ユニット３５０を取外し終えたら、配線カバー９０を塞ぎ状態にしておく。
使用縁部１０ｂ側から作業をする使用者にとって、レール部材６０に取付けられた仕切り板３００よりも手前側で棚板ユニット３５０をレール部材補助部６２に着脱させることになる。このため、仕切り板３００は棚板ユニット３５０を着脱する使用者の作業の支障とはなりにくい。
【００６４】
なお、配線カバー９０を開放状態にしておき、配線挿通部５０内のレール部材６０よりも手前側に配線Ｃを配置するため、配線作業性は良好となる。配線Ｃを配置する作業は、前述のように配線カバー９０を開けた状態で行ってもよい。
レール部材６０に仕切り板３００や棚板ユニット３５０を着脱する作業は、仕切り板３００を下方Ｚ１に挿入したり上方Ｚ２に引き抜いたり、固定ビス３６２を回したりすることで使用者が容易に行うことができる。
【００６５】
また、図１２に示すように、本実施形態のデスク装置１は、他のデスク装置１と組み合わせることによって、対面型デスク装置とすることができる。この際、奥行方向Ｙに隣接する一対のデスク装置１のうち、片方のデスク装置１には、化粧幕板３を取り付けない。即ち、奥行方向Ｙに隣接する一対のデスク装置１を用いて対面型デスク装置とする場合、一対のデスク基本構成部２と、一つの化粧幕板３を使用する。
このように、一対のデスク装置１を用いて対面型デスク装置としたものは、標準状態で対面型デスク装置であるデスク装置と幅方向Ｘに隣接させることができる。
【００６６】
以上説明したように、本実施形態のデスク装置１によれば、二つのデスク装置１の端縁同士を突き合わせた配置である対面型レイアウトとした場合においても、一方のデスク装置１の化粧幕板３を取り外すことによって、オプション部材の取り付けが可能な対面型のデスク装置として体裁を良好に収めることが可能となる。
また、上下方向Ｚにおいて、壁部６６Ａ、６６Ｂの上端部の位置が天板１０の上面である作業面１０ａ、及び配線カバー９０と同一平面上に配置されていることによって、天板１０の上面が平滑になるため、デスク装置１としての使い勝手を良好にすることができる。また、より体裁を良好に収めることができる。
【００６７】
また、レール部材６０の長手方向の寸法が、天板１０の長手方向の寸法と略同一とされていることによって、体裁を良好に収めることができる。また、デスク装置１を幅方向Ｘに隣接した配置とした際に、レール部材６０を幅方向Ｘに連続して形成することが可能となり、オプション取り付けにおける自由度が高くなり、デスク装置１としての使い勝手を良好なものとすることができる。
【００６８】
また、レール部材６０を支持する部材が、複数の脚体２８のうち、使用縁部１０ｂとは反対側の端縁に沿って配置されている複数の脚体２８の間の空間を閉塞する化粧幕板３であることによって、レール部材６０を支持するための部材を別途用意する必要がなくなるため、製造コスト及び工数を低減することができる。
【００６９】
また、化粧幕板３が、複数の脚体２８同士を連結するように設けられた構造体である構造幕板４に取り付けられていることによって、化粧幕板３及びレール部材６０を強固かつ安定的に支持することができる。
【００７０】
また、化粧幕板３がレール部材補助部６２を介して構造幕板４に取り付けられていることによって、化粧幕板３をより強固に固定することができる。
【００７１】
また、使用者がレール部材６０に棚板ユニット３５０を容易に着脱することができる。
配線カバー９０を開放状態にすることで、レール部材６０に棚板ユニット３５０を着脱する作業や配線挿通部５０内に配線Ｃを配置する作業を容易に行うことができる。これにより、配線作業性を良好に保つことができる。棚板ユニット３５０を着脱する作業をした後で配線カバー９０を塞ぎ状態にすることで、天板１０上を体裁良く保つことができる。
レール部材６０から仕切り板３００および棚板ユニット３５０を取外して配線カバー９０を塞ぎ状態にしたときには、奥行方向Ｙに隣り合う配線カバー９０の間からレール部材６０の壁部６６Ａ、６６Ｂの上端部が見えるだけである。
配線Ｃが配線挿通部５０内に配置されるため、使用者が天板１０上を広く使うことができ、天板１０上の使い勝手が良好になる。
【００７２】
レール部材６０は幅方向Ｘに延びるレール状に形成されているため、レール部材６０の幅方向Ｘにおける任意の位置に、棚板ユニット３５０を取付けることができる。
レール部材６０は補助開口部６２ａを有し、棚板ユニット３５０はレール部材６０の補助開口部６２ａに取付けられる。配線挿通部５０の開口５０ａを通した上方Ｚ２からの作業でレール部材６０に棚板ユニット３５０を取付けることができる。したがって、レール部材６０に棚板ユニット３５０を取付ける時の作業性を向上させることができる。
【００７３】
レール部材６０に棚板ユニット３５０を取付けたときに、隙間Ｓ２の奥行方向Ｙと上向き部３５２の厚さ方向とが一致するように、上向き部３５２が開口５０ａを通る。上向き部３５２の断面のうち長さの短い厚さ方向を奥行方向Ｙと一致させることで、上向き部３５２の曲げ強度を維持しつつ配線カバー９０により配線挿通部５０の開口５０ａを奥行方向Ｙに広く覆って隙間Ｓ２を小さくし、天板１０上の体裁をより良好にすることができる。
レール部材６０の平面視において、主開口部６１ａは、補助開口部６２ａに対して天板１０の使用縁部１０ｂとは反対側に配置されている。したがって、天板１０の使用縁部１０ｂ側から作業する使用者にとって、主開口部６１ａに取付けた仕切り板３００が、棚板ユニット３５０を着脱するときに支障となることを抑制することができる。
【００７４】
以上、本発明の一実施形態について図面を参照して詳述したが、具体的な構成はこの実施形態に限られるものではなく、本発明の要旨を逸脱しない範囲の構成の変更、組み合わせなども含まれる。
【００７５】
上記実施形態では、レール部材６０を支持する部材を化粧幕板３としたがこれに限ることはない。即ち、レール部材６０を安定して支持可能である長尺状の部材であればよい。例えば、図１３に示すように、幅方向Ｘに長さを有するラック３Ａの上面にレール部材６０を配置する構成としてもよい。
【００７６】
オプション部材が棚板ユニット３５０であるとしたが、オプション部材はこれに限定されない。オプション部材としては、書類などをピンで止めることができるピンナップボードや、メモなどを記載可能な筆記ボード等を適宜選択して用いることができる。
前記実施形態では、レール部材補助部６２が幅方向Ｘに延びるレール状に形成されていることで、レール部材補助部６２に対して棚板ユニット３５０が幅方向Ｘに沿った任意の位置に着脱できるとした。しかし、レール部材補助部６２に雌ネジ部を幅方向Ｘに２つ以上形成することで、レール部材補助部６２に対して棚板ユニット３５０が幅方向Ｘに沿った２以上の場所で着脱できるように構成してもよい。
【００７７】
レール部材補助部６２の補助開口部６２ａが上方を向くとしたが、補助開口部の向きはこれに限定されず、水平面に平行な方向でもよいし、斜め上方でもよい。
【符号の説明】
【００７８】
１  デスク装置
２  デスク基本構成部
３，３Ａ  化粧幕板（支持部材）
４  構造幕板（構造体）
１０  天板
１０ａ  作業面（上面）
２０  脚部
２１  脚体ユニット
２８  脚体
２９  横梁部
６０  レール部材
６１  レール部材本体
６１ａ  主開口部（オプション取付用溝）
６２  レール部材補助部
【図１】
2015188502.tif 000003
【図２】
2015188502.tif 000004
【図３】
2015188502.tif 000005
【図４】
2015188502.tif 000006
【図５】
2015188502.tif 000007
【図６】
2015188502.tif 000008
【図７】
2015188502.tif 000009
【図８】
2015188502.tif 000010
【図９】
2015188502.tif 000011
【図１０】
2015188502.tif 000012
【図１１】
2015188502.tif 000013
【図１２】
2015188502.tif 000014
【図１３】
2015188502.tif 000015